(57)【特許請求の範囲】
【請求項１】
前中心シートと、
一対の前側部シート及びこれと一体的に結合されている後シートで構成された裏板と、
上記前中心シートの側端部と上記前側部シートの側端部とに各々備えられ、上記前中心シートと上記前側部シートとを脱着するための一対の脱着手段と、
一側端部が上記前中心シートの側端部と重なるように上記前中心シートの前面の側端部に除去可能に各々付着されており、他側端部には接着手段が備えられている一対の補助シートと、を含み、
前記前中心シート及び各々前記前中心シートの両側部に配された前記一対の前側部シートが前面部を成し、前記後シートが背面部を成し、
前記前中心シートと前記裏板の上端には、被治療者の腰部分にパンツを固定させるための、弾力性のある材質を含んで構成される着用手段が備えられている施術及び手術用パンツ。
【請求項２】
請求項１において、前記補助シートは、防水及び手術用化学薬品に耐性のある材質で形成されることを特徴とする施術及び手術用パンツ。
【請求項３】
請求項１において、前記接着手段は、その上面に除去可能なカバーフィルムのある接着テープであることを特徴とする施術及び手術用パンツ。
【請求項４】
請求項１において、
前記前中心シートの両側部の各々には、前記前中心シートを所定の幅にたたむための一対の縫製線が縦方向に形成されていることを特徴とする施術及び手術用パンツ。
【請求項５】
請求項４において、
前記一対の縫製線のうち、内側縫製線は上記前中心シートの後面に形成されており、外側縫製線は上記前中心シートの前面に形成されていることを特徴とする施術及び手術用パンツ。
【発明の詳細な説明】
【技術分野】
【０００１】
本発明は、施術及び手術用パンツに関し、より具体的には血管造影検査を含んだ血管造影施術及び／またはこれを用いた一般手術時に医療用として使用することができるパンツに関するものである。
【背景技術】
【０００２】
血管造影術とは、一般的に、放射線（Ｘ−ｒａｙ）を用いて血管を検査する血管造影検査をいい、血管関連疾病を治療するための仲裁的手術にも血管造影術が用いられる。血管造影術が適用される血管造影検査は、一般的な放射線では見えない血管に造影剤という診断試薬を注射した後、Ｘ線写真撮影またはＸ線映画撮影をし、血管の形態や血行動態を観察する方法である。血管造影検査を施術するためには体外で検査しようとする血管部位までカテーテル（ｃａｔｈｅｔｅｒ）という細い管を被検査者の血管に入れて造影剤を注射する。  
【０００３】
このような血管造影検査は、様々な心血管系検査（ａｎｇｉｏｇｒａｐｈｙ）法のうちで現在まで最も多く用いられている標準的な方法であって、脳血管、頭頚部血管、心臓、肺、肝、腎臓、腹部の臓器、及び四肢の血管など殆ど全ての血管が検査できる方法である。また、血管造影検査を施術した後には病的血管を塞ぐための血管塞栓術や狭くなったり塞がった血管を広げたり穿つための血管成形術などの仲裁的施術を施行することもする。  
【０００４】
カテーテルを被治療者（被検査者）の血管に挿入する際に、殆ど股ぐらの周囲にある大腿動脈（図１の表示された部分参照）を用いる。これをするためには、上記部分の皮膚の一部を穿刺し、これを通じてカテーテルが大腿動脈の内部に挿入される。このような血管造影検査などは特殊な場合を除いては全身麻酔はせずに局所麻酔の下で施術が可能であり、また穿刺された部分を通じて感染が発生することを防止するために無菌状態で施術が進行される。  
【０００５】
図１は、血管造影検査などの施術において、現在使われて被治療者に対する処置方法を見せる図である。図１を参照すれば、まず医療要員が患者の股ぐら部分を１回用不織布で遮る後にばん創膏などを使用して皮膚に固定させる。これは施術中に被治療者のプライバシーを保護し、併せて陰毛などによって施術しようとする部位が感染されることを防止するための措置である。また、患者の股ぐら部分を局所麻酔させ、カテーテルを挿入しようとする身体部分（図１から小さい円で表示した部分）を消毒する。続いて、この部分を穿刺した後、大腿動脈を通じてカテーテルを挿入して必要な施術を行なう。  
【０００６】
ところが、このような被治療者に対する施術方法は次のような問題点がある。  
最初に、穿刺された部位を通じて被治療者が他の病菌に感染されることがある。なぜならば、現在使われている不織布及びばん創膏は皮膚との接着性が不充分であり、被治療者の陰毛などが完全に遮れないおそれがあるためである。特に、局所麻酔された患者が施術中に動く場合、または液体性消毒剤により接着力が落ちて接着された部分が外されることもあり、不織布が外されるようになれば、陰毛や股ぐら付近の細菌などによって穿刺された部分が感染される危険性はさらに高まる。また、このような感染を防止するためには施術が進行される間に被治療者の動きを制約せざるを得ないが、この場合には局所麻酔された被治療者を極度に不便にすることがある。  
【０００７】
二番目に、１回用不織布の使用によってむしろ被治療者のプライバシーをさらに侵害する恐れがある。なぜならば、１回用不織布を付着させるためには、被治療者の下衣を脱衣させ、第３者である医療要員が股ぐら部分にこの不織布を付けなければならないが、このような状況は施術を受ける前に覚めている被治療者に相当な羞恥心を起こすことがあるためである。さらに、このような作業が造影検査室で行われる場合には多数の人が関与する施術の特性上、患者のプライバシーの侵害が相当であるとは言うまでもない。従って、現在使われている方法は、むしろ被治療者の羞恥心を起こすことができるだけでなく、さらには血管造影検査などの施術に対する嫌悪感を起こして必要な検査及び／または手術を適時に受けられないようになることもある。特に、血管仲裁的施術を継続的に受けるべき被治療者は血管造影術の施術による羞恥心を繰り返し経験しなければならないため、このような問題点はさらに深刻になることがある。  
【０００８】
また、現在使われている１回用不織布は防水がよくできず、化学薬品に対する耐性が殆どない。従って、消毒薬品などの化学薬品や施術中に血管から流出される血液などが被治療者の股ぐら部分へ染み込むことがある。これは被治療者の不便を引き起こし、これによって被治療者の動きが多く発生するため、血管造影術を精巧に施術するのに邪魔になることがある。  
【０００９】
このような問題点を解決するための一つの方案として、本出願の出願人によって提案された考案が特許文献１の"血管造影検査、施術、及び手術用パンツ"に開示されている。上記の考案は、被治療者が直接着用可能であるという点で被治療者のプライバシーを保護することができる。また、上記パンツの前面シート（ｓｈｅｅｔ）が防水性材質で形成され、また、上記の前面シートの両側端が伸縮性材質で形成されるため、穿刺された部位を通じる感染が防止できるだけでなく、消毒薬品や血液による患者の不便を最小化できる長所がある。  
【００１０】
しかし、上記の考案によるパンツは、施術中に使用した化学薬品や血液などによって汚れることがあり、施術が終了された後には汚れたパンツをそのまま着用しているか、または医療要員らが着替えさせなければならないという短所がある。前者の場合には被治療者の不快感を引き起こすか、またはパンツについている異質物が新しい感染原になるおそれがあり、後者の場合には被治療者のプライバシーを侵害するもう一つの要因になることがある。従って、このような問題点を解決できる新しい構造のパンツが要求されている。  
【特許文献１】韓国登録実用新案公報第２０‐０３２５０６５号
【発明の開示】
【発明が解決しようとする課題】
【００１１】
本発明が解決しようとする技術的課題は、上述した従来技術の問題点を解決するためのことであって、血管造影検査やこれを用いた仲裁的手術やまたはこれと類似の一般手術などを施行する場合に、穿刺された部位を通じて被治療者が病菌に感染されることを防止でき、被治療者のプライバシーを最大限保障して被治療者の不便を最小化できる施術及び手術のためのパンツを提供することである。  
【００１２】
本発明が解決しようとする他の技術的課題は、血管造影検査や手術などの施術が終了した後には被治療者が着用したパンツを脱衣させなくても化学薬品や血液などによって汚染された部分を容易に除去できる血管造影検査、施術及び手術のためのパンツを提供することである。  
【００１３】
本発明が解決しようとする他の技術的課題は、被治療者の大腿動脈などの位置や身体的特性に関係なしに利用できる施術及び手術のためのパンツを提供することである。  
【課題を解決するための手段】
【００１４】
上記の技術的課題を達成するために、本発明は、被治療者が血管造影検査やこれを用いた施術、またはこれと類似の手術を受ける場合に着用できるパンツを提供する。上記患者用パンツは１回用であるのが一般的であるが、これに限ることではない。  
【００１５】
このような本発明の一側面によるうパンツは、前中心シート（ｆｒｏｎｔ  ｃｅｎｔｅｒ  ｓｈｅｅｔ）、裏板（ｂａｃｋ  ｐｌａｔｅ）、一対の脱着手段（ａｔｔａｃｈｉｎｇ  ｍｅａｎｓ）、及び一対の補助シート（ａｓｓｉｓｔａｎｃｅ  ｓｈｅｅｔ）を含む。上記の裏板は、一対の前側部シート（ｆｒｏｎｔ  ｓｉｄｅ  ｓｈｅｅｔ）及びこれと一体的に結合されている後シート（ｂａｃｋ  ｓｈｅｅｔ）で構成され、上記の一対の脱着手段は、前中心シートの側端部（ｓｉｄｅ  ｅｎｄ  ｐｏｒｔｉｏｎ）と上記前側部シートの側端部とに各々備えられ、上記前中心シートと上記前側部シートとを脱着するためである。また、上記一対の補助シートは、その一側端部（ｏｎｅ  ｓｉｄｅ  ｅｎｄ  ｐｏｒｔｉｏｎ）が上記前中心シートの側端部と重なるように、上記前中心シートの前面の側端部（ｓｉｄｅ  ｅｎｄ  ｐｏｒｔｉｏｎ  ｏｆ  ｆｒｏｎｔ  ｓｕｒｆａｃｅ）に除去可能に各々付着されており、その他側端部には接着手段（ａｄｈｅｓｉｖｅ  ｍｅａｎｓ）が備えられている。  
【００１６】
このような本発明の他の側面によるパンツは、前中心シート、裏板、一対の脱着手段、及び補助シートを含む。上記の裏板は、一対の前側部シート及びこれと一体的に結合されている後シートで構成され、上記一対の脱着手段は、上記前中心シートの側端部と上記前側部シートの側端部とに各々備えられ、上記前中心シートと上記前側部シートとを脱着するためである。また、上記補助シートは、上記前中心シートまたは裏板に除去可能に固定されており、上記被治療者の大腿動脈は露出させて股ぐらは遮るように所定の幅と高さを有し、上記被治療者に付着させるための接着手段が備えられている。  
【００１７】
上記補助シートは、防水及び手術用化学薬品に耐性のある材質で形成されるのが望ましい。  
また、上記接着手段は、その上面に除去可能なカバーフィルム（ｃｏｖｅｒ  ｆｉｌｍ）のある接着テープ（ａｄｈｅｓｉｖｅ  ｔａｐｅ）であるのが望ましい。  
また、上記前中心シートの両側部の各々には上記前中心シートを所定の幅にたたむための一対の縫製線が縦方向に形成されているのが望ましい。この場合に上記一対の縫製線のうち内側縫製線は上記前中心シートの後面に形成されており、外側縫製線は上記前中心シートの前面に形成されているのがさらに望ましい。  
【００１８】
このような本発明のもう一つの側面によるパンツは、前シート、後シート、及び遮蔽用シートを含む。ここで上記前シートは、上記被治療者の大腿動脈が位置する部位を露出させるための所定の大きさを有する一対の孔が形成されており、その後面には上記孔の外周に沿って所定の幅に形成され、その上面に除去可能なカバーフィルムが付着されている接着手段が備えられている。また、上記後シートは上記前シートと一体に結合されており、上記遮蔽用シートは上記前シートに形成されている孔を完全に遮って上記前シートの前面に除去可能に付着されている。  
【発明の効果】
【００１９】
本発明によれば、血管造影術を使用して血管造影検査や仲裁的施術または血管造影手術などを施行する場合に、パンツの補助シートを用いて被治療者の股ぐら部分を完全に遮るため、穿刺された部位を通じて被治療者が病菌に感染されることを防止できる。また、本発明の第１実施例によるパンツの場合には被治療者の股ぐら部分を全く露出させないため、被治療者のプライバシーを最大限保障して被治療者の不便を最小化することができる。
【００２０】
また、本発明によれば、血管造影検査などの施術が終了した後には、汚染された補助シートがパンツから完全に除去できるため、汚染されたパンツによる２次感染が防止できるだけでなく、被治療者の不便さ及び不快感を最小化することができる。
【００２１】
また、本発明によるパンツは、いくつかの大きさのサイズ、例えば男性用と女性用、また、その各々に対して小型、中型、及び／または大型のいくつかの大きさだけ用意すれば、被治療者の大腿動脈などの位置や身体的特性に関係なく利用できるという長所がある。
併せて、いずれか一方の大腿動脈に対する施術が円滑に進行されない場合に、他方の大腿動脈を用いて施術する場合にも被治療者のプライバシーを侵害しないながら容易に用意して施術を進行することができるため、施術者の立場でも相当便利であるという長所がある。
【発明を実施するための最良の形態】
【００２２】
以下、添付された図面を参照して本発明の最良の実施例らを詳細に説明するようにする。しかし、本発明はここに説明する実施例らに限らず、他の形態に具体化できる。むしろ、ここで紹介される実施例らは本発明の技術的思想が徹底して完全に開示されることができるように、また、当業者において本発明の思想が十分に伝えられることができるようにするために例示的に提供されることである。図面において、各部分の大きさは明確性を期するために誇張されたものである。また、いずれか一つの構成要素が単一な部材で形成されているように図示された場合、この部材は多数の部材が互いに結合されていることができ、反対にいずれか一つの構成要素が多数の部材が結合されているように図示されている場合に、この構成要素は単一な部材で形成された構成要素であることもある。明細書の全体に亘って、同じ参照番号は同じ構成要素を表す。  
【００２３】
また、後述する本発明の実施例によるパンツは１回用パンツであるのが望ましいが、本発明はこれに限るものではないことは自明である。  
【００２４】
第１実施例  
図２ａ及び図２ｂには、本発明の第１実施例による施術及び手術用パンツの正面図及び背面図が各々図示されている。また、図３ａには上記パンツの前中心シート（１１０ａ、１１０ｂ）の前面に対する概略的な平面図が図示されており、図３ｂには上記パンツの裏板（１２０ａ、１２０ｂ、１３０ａ、１３０ｂ）に対する概略的な平面図が図示されている。
【００２５】
図２ａ、図２ｂ、図３ａ、及び図３ｂを参照すれば、本実施例によるパンツは全体的に四角パンティ、半ズボンまたはトランク形状からなり、前中心シート（１１０ａ、１１０ｂ）、裏板（１２０ａ、１２０ｂ、１３０ａ、１３０ｂ）、一対の脱着手段（１０ａ、１０ｂ）、及び一対の補助シート（１４０ａ、１４０ｂ）を含む。しかし、本発明はこれにだけ限るものではなく、半ズボンでなく長さが長い一般ズボン形状であることもある。  
【００２６】
上記裏板は、後シート（１３０ａ、１３０ｂ）とこれの両側端に各々連結した一対の前側部シート（１２０ａ、１２０ｂ）とで構成され、上記前中心シート（１１０ａ、１１０ｂ）と後シート（１３０ａ、１３０ｂ）とが各々の下端中心部（５１、５２）で互いに結合して図２ａ及び図２ｂに図示されているようなトランク形状（四角パンティ形状）のパンツをなす。より具体的に、前中心シート（１１０ａ、１１０ｂ）及び前側部シート（１２０ａ、１２０ｂ）がパンツの前面部（１００ａ）をなし、後シート（１３０ａ、１３０ｂ）がパンツの後面部（１００ｂ）をなす。  
【００２７】
このようなパンツ、すなわち、前中心シートと裏板（１１０ａ、１１０ｂ、１２０ａ、１２０ｂ、１３０ａ、１３０ｂ）の上端（２０）には被治療者の腰部分にパンツを固定させるための着用手段が備えられているのが望ましい。上記着用手段としては、例えば、上端（２０）自体を弾力性のある材質で製造するか、または上端（２０）に弾力性のある材質を付け加えるか、または上端（２０）を裁縫して一定の空間を開けてその内部にゴムひものような弾力性のある材質を挿入することもできる。  
【００２８】
上記前中心シート（１１０ａ、１１０ｂ）と裏板（１２０ａ、１２０ｂ、１３０ａ、１３０ｂ）は同じ材質で作ることができるが、被治療者が着用後に大きい不便を感じなく、被治療者の皮膚に傷を加えない物質であればその材質に特別な制限はない。例えば、現在衣類製作用として広く使われている原緞またはＳＢ原緞などのような不織布を使用することができ、必要（例えば、男性用と女性用との区分）に応じて様々な紋がプリントされている原緞を使用することができる。  
【００２９】
また、前中心シート（１１０ａ、１１０ｂ）は図示されているように左側側部（１１０ａ）と右側側部（１１０ｂ）が互いに結合されている構造、例えばその中心部に裁縫線（４１）を有して２枚の原緞が結合された構造であるが、これにだけ限るのではない。例えば、上記前中心シート（１１０ａ、１１０ｂ）は一つの原緞を用いて製造されたものであればよく、この場合には上記左側側部（１１０ａ）と右側側部（１１０ｂ）は本実施例に対する説明の便宜のために任意的に区分したのである。  
【００３０】
前中心シート（１１０ａ、１１０ｂ）の上端幅（ｗ２）は、上記パンツのサイズ（ｓｍａｌｌ、ｍｅｄｉｕｍ、ｌａｒｇｅ）や男女用の区分に従って変わることができるが、被治療者が着用した場合にそれだけで被治療者の股ぐら部分を遮ることができる大きさにならなければならない。また、後述のような一対の縫製線（３０ａ、３０ｂ）がさらに形成されている場合には、これを用いて所定の幅（ｗ１）に前中心シート（１１０ａ、１１０ｂ）の各側部をたたんだ場合に、その状態で被治療者の股ぐら部分を遮ることができる大きさにならなければならない。例えば、前中心シート（１１０ａ、１１０ｂ）の側線は被治療者の太股の幅を基準として内側から１／３ないし３／４間の部分に位置するようにすることができる。  
【００３１】
また、前中心シートの各側部（１１０ａ、１１０ｂ）には上記側部の中心部分を所定の幅（ｗ１）にたたむための一対の裁縫線（３０ａ、３０ｂ）がさらに形成されていることができる。上記幅（ｗ１）は２〜８ｃｍ、さらに望ましくは３〜５ｃｍ程度になることができるが、必ずこれにだけ限るのではない。また、上記一対の裁縫線（３０ａ、３０ｂ）を用いてたたむことをさらに容易にするために、上記一対の裁縫線のうち内側裁縫線（３０ｂ）は各側部（１１０ａ、１１０ｂ）の端部（内側裁縫線（３０ｂ）を基準として外側部分）を前側方向（図３ａの正面方向）にたたむことができるように前中心シートの後面に形成し、外側裁縫線（３０ａ）は各側部（１１０ａ、１１０ｂ）の端部（外側裁縫線（３０ａ）を基準として外側部分）を後側方向（図３ａの後面方向）にたたむことができるように前中心シートの前面に形成するのが望ましい。このような一対の裁縫線（３０ａ、３０ｂ）は、後述のように、被治療者に対する施術時に股ぐら付近の左右側の大腿動脈を效果的に露出させるための手段である。また、本実施例では裁縫線（３０ａ、３０ｂ）に限定して説明したが、裁縫線ではなくてもこのような効果が達成できる他の適切な手段（例えば、裁縫線がない単純な線状の凹部と凸部等）が備えられることができる。  
【００３２】
上述したように、裏板（１２０ａ、１２０ｂ、１３０ａ、１３０ｂ）は、前側部シート（１２０ａ、１２０ｂ）と後シート（１３０ａ、１３０ｂ）とで構成され、このような区別は完成されたパンツを基準として任意的に区分したのである。すなわち、上記裏板のうちパンツの前面部（１００ａ）を構成する部分は前側部シート（１２０ａ、１２０ｂ）とし、パンツの後面部（１００ｂ）を構成する部分は後シート（１３０ａ、１３０ｂ）としたのは、説明の便宜のために任意的に区分したものである。従って、上記前側部シート（１２０ａ、１２０ｂ）と後シート（１３０ａ、１３０ｂ）を区分する線（６１）も任意的なことであり、上記線（６１）に裁縫線が形成されることもできるが、望ましくは前側部シート（１２０ａ、１２０ｂ）の各々は後シート（１３０ａ、１３０ｂ）と一つの原緞で製造された形態であることが望ましい。  
【００３３】
後シート（１３０ａ、１３０ｂ）の幅（ｗ３）はパンツの後面部（１００ｂ）の幅と同一である。従って、その幅（ｗ３）はパンツのサイズまたは男女用途の区分に従って適切に選択される。また、前側部シート（１２０ａ、１２０ｂ）の各々の幅（ｗ４）は、後シートの幅（ｗ３）で前中心シートの幅（ｗ２）を引いた値の１／２またはその以上になることができるが、後者の場合がさらに望ましい。後者の場合のように、前側部シート（１２０ａ、１２０ｂ）の幅（ｗ４）を設定する理由は、前側部シート（１２０ａ、１２０ｂ）と前中心シート（１１０ａ、１１０ｂ）とが所定の幅に重なるように結合させることによって（図３ａの状態）、被治療者の皮膚が上記結合部を通じて露出されることを防止し、また前側部シート（１２０ａ、１２０ｂ）と前中心シート（１１０ａ、１１０ｂ）とに脱着手段（１０ａ、１０ｂ）を設けることによって施術などの必要によってこれらを脱着させるためである。  
【００３４】
本発明によるパンツには、さらに一対の脱着手段（１０ａ、１０ｂ）が、前中心シート（１１０ａ、１１０ｂ）の両側の側端部と前側部シート（１２０ａ、１２０ｂ）の側端部とに備えられている。一対の脱着手段（１０ａ、１０ｂ）は、前中心シート（１１０ａ、１１０ｂ）と前側部シート（１２０ａ、１２０ｂ）とが着脱できる手段であれば、その種類には特別な制限がない。例えば、一対の脱着手段（１０ａ、１０ｂ）は、図示されているようないわゆるベルクロテープとか、現在乳児用おむつで広く使われているマジックテープ（登録商標）、ジッパー（ｚｉｐｐｅｒ）、またはボタンを用いた脱着手段などであってもよい。ただし、前中心シート（１１０ａ、１１０ｂ）の側端部には補助シート（１４０ａ、１４０ｂ）が付着されなければならないので、これを考慮すべきである。  
【００３５】
一対の脱着手段（１０ａ、１０ｂ）の個数及びその位置に特別な制限はない。ただし、パンツとしての機能を考慮して、少なくとも前中心シート（１１０ａ、１１０ｂ）と前側部シート（１２０ａ、１２０ｂ）との上端部と下端部とには各々備えられるのが望ましい。また、前中心シート（１１０ａ、１１０ｂ）と前側部シート（１２０ａ、１２０ｂ）との中心部にも補助的に１個ないし３個の脱着手段がさらに備えれることができる。
【００３６】
本発明の一実施例によるパンツには、さらに補助シート（１４０ａ、１４０ｂ）、より正確には図３ａに図示されているように、補助シート（１４０ａ、１４０ｂ）の一側端部（ｏｎｅ  ｓｉｄｅ  ｅｎｄ  ｐｏｒｔｉｏｎ）が、前中心シート（１１０ａ、１１０ｂ）の前面の側端部と重なるように付着されているが、この部分は永久的に付着されていることではなく医療要員が易く除去できる程度の強さで付着されている。なぜならば、補助シート（１４０ａ、１４０ｂ）は、後述のように、血管造影術の施術が終了された後には前中心シート（１１０ａ、１１０ｂ）から除去する必要があるためである。例えば、補助シート（１４０ａ、１４０ｂ）は両面テープを使用して前中心シート（１１０ａ、１１０ｂ）の上下部に付着できるが、これにだけ限るのではない。  
【００３７】
また、補助シート（１４０ａ、１４０ｂ）の後面（図３ａで反対側面）の一側端部、すなわち、前中心シート（１１０ａ、１１０ｂ）に付着されない補助シート（１４０ａ、１４０ｂ）の他側端部には接着手段（１４２ａ、１４２ｂ）が備えられている。接着手段（１４２ａ、１４２ｂ）は、後述のように、被治療者に対する施術を施行するために被治療者の太股などに補助シート（１４０ａ、１４０ｂ）を付着するための手段として、例えば両面テープなどを用いて製造できる。  
【００３８】
この場合、両面テープの一面は補助シート（１４０ａ、１４０ｂ）に付着され、残りの一面はその上部の保護フィルム（ｃｏｖｅｒ  ｆｉｌｍ）を除去しない状態であるのが望ましい。なぜならば、施術を受けるためにこのパンツを被治療者が着用した場合には、接着手段（１４２ａ、１４２ｂ）がパンツの他の部分や被治療者の皮膚に接着されることを防止する必要があるためである。また、施術のために接着手段を被治療者の太股に付着する場合には保護フィルムを容易に除去できるように、上記保護フィルムは接着部より大きく（例えば、より長く）製造するのが望ましい。  
【００３９】
補助シート（１４０ａ、１４０ｂ）は、被治療者の内側太股に效果的に付着させることができ、また施術中に血液や化学薬品が被治療者の股ぐら側に染み込むかまたは被治療者の陰毛などが穿刺された大腿動脈を感染させることを防止できるように、充分な大きさを有するのが望ましい。例えば、図３ａに図示されているように、前中心シート（１１０ａ、１１０ｂ）の高さよりは小さいが、これを充分にカバーできる高さを有する大きさであるのが望ましい。  
【００４０】
また、補助シート（１４０ａ、１４０ｂ）は、施術中に発生するかまたは使用する血液や各種医療用化学薬品に対する耐性を有しなければならない。例えば、補助シート（１４０ａ、１４０ｂ）は少なくとも防水機能を有する材質で作られるか、またはその上面に防水機能を有するフィルムがコーティングされている材質で作ることができる。これの具体的な例としては、３Ｍ社で現在病院などに供給している医療用テープを利用することができる。  
【００４１】
次に、図４ａ乃至図４ｄを参照して、上述した本発明のパンツを使用する方法に対して簡略に説明する。  
【００４２】
図４ａを参照すれば、まず被治療者が施術を受ける前にパンツを着用する。本実施例によるパンツは通常的な半ズボンまたはトランク形態であるため、被治療者がプライバシーの侵害を受けなくて自分で着用することができる。また、被治療者は施術を受けるために検査用ベッドまたは手術用ベッドに横になって準備をする。  
【００４３】
また、図４ｂを参照すれば、医療要員が被治療者に対する施術準備をする。これのために、まず脱着手段（１０ａ、１０ｂ）により結合されている被治療者の左側（または右側）の前側部シート（１２０ａ）と前中心シート（１１０ａ）とを分離した後、前側部シート（１２０ａ）部分を外側に広げて被治療者の左側の太股の一部を露出させる。この場合、前中心シート（１１０ａ）によって被治療者の股ぐら部分は継続して遮られているので、被治療者のプライバシーが侵害されることが防止できる。  
【００４４】
次いで、補助シート（１４０ａ）の後面に備えられている接着手段（１４２ａ）の保護フィルムを除去し、露出された接着手段（１４２ａ）の接着部を被治療者の内側太股に付着する。前中心シート（１１０ａ）に一対の裁縫線（３０ａ、３０ｂ）が形成されている場合には、接着手段（１４２ａ）を付着する前に、上記裁縫線（３０ａ、３０ｂ）を用いて前中心シート（１１０ａ）を所定の幅（ｗ１）にたたんだ後、またはたたむと同時に付着させるのが望ましい。このように、補助シート（１４０ａ）を付着した場合に、少なくとも図４ｂに小さい円で表示した被治療者の大腿動脈に該当する部分は露出されなければならない。  
【００４５】
次いで、図４ｂに図示した状態で被治療者の大腿動脈部分を穿刺して被治療者に対する必要な施術を進行し、施術を終了した後の姿は図４ｃに図示されている。本発明によるパンツを用いる場合には、施術中に被治療者のプライバシーの保護と穿刺された部位の感染防止が達成できることはもちろん、補助シート（１４０ａ）が被治療者の内側太股に沿って長く付着され、その下端部は被治療者の身体外部までわたってあるため、血液や医療用化学薬品を補助シート（１４０ａ）の下部へ誘導して效果的に排出させることができる。
【００４６】
次いで、図４ｄを参照すれば、血液と化学薬品が付いている補助シート（１４０ａ）を被治療者及び前中心シート（１１０ａ）から除去する。本実施例によるパンツは補助シート（１４０ａ）が二重テープなどを用いて被治療者及び前中心シート（１１０ａ）に付着されているので、医療要員が汚染された補助シート（１４０ａ）だけを容易に除去可能である。  
【００４７】
また、最後に、広げている前側部シート（１２０ａ）をたたんで脱着手段（１４０ａ、１４０ｂ）を用いて前中心シート（１１０ａ）にさらに付着させれば、外観上、図４ａに図示した状態と同じ姿になる。この状態は、汚染された補助シート（１４０ａ）だけ除去した状態であるため、施術終了後にも被治療者のプライバシーの侵害を防止できることはもちろん、医療用パンツの他の部分には汚染物質が全く付いていないため、被治療者が全く不便さや不快感を感じなく、汚染された補助シート（１４０ａ）による２次感染を防止することができる。  
【００４８】
第２実施例  
本発明の第２実施例による血管造影検査、施術及び手術用パンツの正面図及び背面図は図２ａ及び図２ｂに図示されているものと同一である（ただ、本実施例では一対の縫製線（３０ａ、３０ｂ）はなくてもよい）。また、図５ａ、図５ｂ及び図５ｃには本発明の第２実施例によるパンツの前中心シート（２１０ａ、２１０ｂ）の前面に対する概略的な平面図が図示されており、図５ｂには上記パンツの裏板（２２０ａ、２２０ｂ、２３０ａ、２３０ｂ）に対する概略的な平面図が図示されている。また、図５ｃは本発明の第２実施例の他の側面によるパンツの前中心シート（２１０ａ、２１０ｂ）の内側面を概略的に示す平面図である。  
【００４９】
本実施例によるパンツは全体的に四角パンティ、半ズボン、トランク、または長いズボン形状からなり、前中心シート（２１０ａ、２１０ｂ）、裏板（２２０ａ、２２０ｂ、２３０ａ、２３０ｂ）、補助シート、及び着脱手段を含んで構成される。また、本実施例によるパンツの前中心シート（２１０ａ、２１０ｂ）、裏板（２２０ａ、２２０ｂ、２３０ａ、２３０ｂ）、及び着脱手段（２０ａ、２０ｂ）の機能、構造、大きさ、及び材質などは上述した第１実施例によるパンツのそれと同一である。また、補助シート（２４０ａ、２４０ｂ）の機能及び材質も上述した第１実施例によるパンツのそれと同一である。従って、以下では上述した第１実施例と区別される差異点に対してだけ簡略に説明するようにする。  
【００５０】
図５ａ、図５ｂ及び図５ｃを参照すれば、本実施例によるパンツの補助シート（２４０）の付着位置と形状などが第１実施例によるパンツの補助シート（１４０ａ、１４０ｂ）と相異する。また、図５ｃに図示されているように、補助シート（２４０）は、内側シート（２４０ｂ）と上記内側シート（２４０ｂ）より大きい外側シート（２４０ａ）とを含む。または、実施例によっては、上記補助シート（２４０）が内側シート（２４０ｂ）と外側シート（２４０ａ）とが互いに統合されていてもよい。また、上記補助シート（２４０）は前中心シート（２１０ａ、２１０ｂ）または裏板（２２０ａ、２２０ｂ、２３０ａ、２３０ｂ）ではなく着用手段に付着されていてもよい。しかし、補助シート（２４０）の機能及び材質や、施術後にはパンツから分離して除去されることもできるという側面では第１実施例と同一である。  
【００５１】
本実施例によるパンツの補助シート（２４０）は、その一端部、すなわち固定部（７２）が後シート（２３０ａ、２３０ｂ）の中央部分に付着（図５ｂ）されるか、または前中心シート（２１０ａ、２１０ｂ）に付着（図５ｃ参照）されるが、これにだけ限るのではない。固定部（７２）の位置は補助部（７４）の形状や後シート（２３０ａ、２３０ｂ）または前中心シート（２１０ａ、２１０ｂ）で付着される位置に従って変わることができる。また、固定部（７２）を付着する方法にも特別な制限がない。例えば、裁縫を用いて固定するか、または両面テープなどを用いて固定することもできる。しかし、補助シート（２４０）は施術後には後シート（２４０ａ、２４０ｂ）から分離されなければならないので、容易に除去可能な形態で付着されているのが望ましい。  
【００５２】
補助シート（２４０）の保護部（７４）は、被治療者の股ぐら部分を遮るためのものであり、施術中には穿刺された大腿動脈が感染されるか、または血液や医療用化学薬品が被治療者の股ぐら部分に染み込むことを防止するためである。このような目的を達成するために、保護部（７４）は所定の幅と高さを有しなければならないが、その具体的な大きさは上記した目的の達成のために適切に選択されることができる。また、保護部（７４）の形状には特別な制限がない。例えば、保護部（７４）は図示されているように原形、楕円形、または四角形状などであってもよい。このような保護部（７４）は、被治療者の股ぐら（陰部）は遮るが、大腿動脈は遮らない程度の大きさでなければならない。例えば、保護部（７４）が四角形状の場合に横約１０〜１５ｃｍ、縦約１５〜２０ｃｍ程度であってもよい。  
【００５３】
本実施例の一側面によれば、補助シートの保護部は、被治療者の大腿動脈も併せて遮ることができる程度の大きさを有してもよい。このような場合には、上記保護部（７４）は、後述する第３実施例の前シートのように、一対の孔を有する形態となることができ、この孔は大腿動脈が位置する部位に対応される地点に形成される。さらに、この孔は原形、楕円形、または四角形など任意の形状を有することができ、また、被治療者の大腿動脈とその周囲の一定部分を露出させることができるように所定の大きさを有する。  
【００５４】
また、上記保護部（７４）は、施術を受けるために被治療者が着用した場合には前中心シート（２１０ａ、２１０ｂ）に臨時に固定されているのが望ましい。すなわち、補助シート（２４０）は後シート（２３０ａ、２３０ｂ）からパンツの股の間に連結されるか、またはそれ自体で前中心シート（２１０ａ、２１０ｂ）に臨時に固定されており、施術準備時に前中心シート（２１０ａ、２１０ｂ）から外して被治療者に固定させることができる構造である。これのために上記保護部（７４）の後面の端部には両面テープなどを用いて保護部（７４）と前中心シート（２１０ａ、２１０ｂ）とを互いに付着させるのが望ましい。  
【００５５】
また、上記保護部（７４）は血管造影術などの施術のために被治療者に付着する必要がある。これのためには、まず保護部（７４）を前中心シート（２１０ａ、２１０ｂ）から分離させる必要がある。このような過程は医療要員が施術をする前に施行する。また、保護部（７４）の前面部には接着手段（２４２ａ、２４２ｂ、２４２ｃ）が備えられており、その上部には保護フィルムが付着されているのが望ましい。上記接着手段（２４２ａ、２４２ｂ、２４２ｃ）は、図５ｂに図示されているように、上端部（２４２ｃ）とその両側の側端部（２４２ａ、２４２ｂ）とに備えれるのが望ましい。また、接着手段（２４２ａ、２４２ｂ、２４２ｃ）は図示されているように、保護部（７４）の内側に位置するか、または上述した第１実施例によるパンツの補助シート（１４２ａ、１４２ｂ）が付着されているように、保護部（７４）と一部が重なるように付着されていてもよい。このような保護部（７４）は施術を施行するために、保護フィルムを除去して上記接着手段（２４２ａ、２４２ｂ）を用いて被治療者の股ぐらの周囲に付着される。  
【００５６】
このような本発明の第２実施例による医療用パンツは、補助シート（２４０）の保護部（７４）を付着するために被治療者のプライバシーをある程度侵害することはできるという短所はある。しかし、施術が終了された後には汚染された補助シート（２４０）が除去できるため、施術が終了された後には被治療者が全く不便さや不快感を感じなく、また汚染された補助シート（２４０）による２次感染も防止することができる。  
【００５７】
以上で説明した本発明の第１及び第２実施例によるパンツは、血管造影術を用いた手術だけでなく、一般パンツ（下着）を着せない手術でも被治療者が着用できるパンツとして用いることも可能である。血管造影術を用いた施術や手術でない一般的な手術では、第１及び第２実施例によるパンツの補助シート（１４０、２４０）は必要ないため、これを除去して使用するのが望ましい。本発明の望ましい実施例によれば補助シート（１４０、２４０）が両面テープなどを用いて固定されている構造であるため、補助シート（１４０、２４０）の除去が容易である。このように、補助シート（１４０、２４０）を除去したパンツを患者が着用すれば、一般手術でも患者のプライバシーを保護することができ、価格が低廉であるため、もし手術中に血液や医薬品に汚染されれば脱衣して捨てるにも何らの負担がない。  
【００５８】
第３実施例  
図６ａ、図６ｂ、及び図６ｃ並びに図７には本発明の第３実施例による血管造影検査、施術及び手術用パンツの正面図、背面図、及び前シートの内部平面図が各々図示されている。以下では上述した第１及び第２実施例との差異点を中心として本実施例によるパンツに対して説明する。  
【００５９】
図６ａ、図６ｂ、及び図６ｃ並びに図７を参照すれば、本実施例によるパンツは全体的に四角パンティ、半ズボン、トランク、または長いズボン形状をなしており、前シート（３１０ａ、３１０ｂ）、後シート（３２０）、及び遮蔽用シート（３３０）を含んで構成される。前シート（３１０ａ、３１０ｂ）と後シート（３２０）とは一体に結合して上記パンツの基本的な形状をなす。前シート（３１０ａ、３１０ｂ）と後シート（３２０）の各々は一つの原緞で一体的に製造されることもでき、２個以上の原緞で裁縫などを用いて結合された形態であってもよい。また、前シート（３１０ａ、３１０ｂ）と後シート（３２０）も一つの原緞で一体的に製造されてもよく、２個以上の原緞で裁縫などを用いて結合された形態であってもよい。  
【００６０】
本実施例によるパンツは、図６ａ及び図６ｃに図示されているように、左右に一対の孔（Ｈ）が形成されている。この孔（Ｈ）は被治療者が着用した時、大腿動脈が位置する部位に対応される地点に形成される。また、この孔（Ｈ）は原形、楕円形、または四角形など任意の形状を有することができ、また、この孔（Ｈ）を通じて被治療者の大腿動脈とその周囲の一定部分を露出させることができるように所定の大きさを有する。例えば、この孔（Ｈ）が原形である場合には直径が、楕円形である場合には短軸の長さが、四角形である場合には短辺の長さが約５〜１０ｃｍ程度になることができる。  
【００６１】
また、図６ａに図示されているように、上記孔（Ｈ）を覆う遮蔽用シート（３３０）が前シートの前面（３１０ａ）に除去または脱着が可能な方式に備えられている。遮蔽用シート（３３０）が除去可能な方式に備えられている場合には、施術のために遮蔽用シート（３３０）を除去した後、施術が終了された後には遮蔽用シート（３３０）を再び前シートの前面（３１０ａ）に付着しない。しかし、遮蔽用シート（３３０）が脱着可能な方式に備えられている場合には、施術を終了した後にはこの遮蔽用シート（３３０）を再び前シートの前面（３１０ａ）に付着する。  
【００６２】
図７は脱着の可能な遮蔽用シート（３３０）の他の例を示すための施術及び手術用パンツの正面図である。図７をすれば、遮蔽用シート（３３０）は四角形状をしているが、これに限るのではない。また、脱着可能に、この遮蔽用シート（３３０）の外側面の縁は裁縫などの方式により前シートの前面（３１０ａ）に固定されるが、内側面はベルクロテープ（３３２）などを用いて前シート（３１０ａ）に一時的に固定される。従って、この遮蔽用シート（３３０）は、施術前及び施術後にはベルクロテープ（３３２）により固定されているため孔（Ｈ）を遮る用途に用いられるが、施術時にはベルクロテープ（３３２）から分離され孔（Ｈ）を露出させる。
【００６３】
また、上記遮蔽用シート（３３０）は、被治療者が上記パンツを着用した時、被治療者の皮膚が露出されることが防止できるように、少なくとも上記孔（Ｈ）と大きさが同じであるか、またはさらに大きいのが望ましい。また、遮蔽用シート（３３０）は、外観上、前シート（３１０ａ、３１０ｂ）及び後シート（３２０）と同じ原緞を用いて製造するのが望ましいが、他の原緞やビニル、紙類、ポリイミドフィルムなどのような合成樹脂を用いて製造することができる。  
【００６４】
また、図６ｃに図示されているように、前シート後面（３１０ｂ）の上記孔（Ｈ）の周囲には接着手段（３４０）が備えられている。接着手段（３４０）は被治療者に対する施術時に被治療者の皮膚に前シートの後面（３１０ｂ）を付着するためである。このような接着手段（３４０）がない場合には前シート（３１０ａ、３１０ｂ）が固定されないため、施術に邪魔になることができる。ただし、施術前に前シートの後面（３１０ｂ）が被治療者の皮膚に付着されれば、正確な位置に付着するのが難しいだけでなく、被治療者の不便を招くことがあるため、接着手段（３４０）の上面には接着が防止できるカバーフィルム（不図示）が形成されているのが望ましい。このようなカバーフィルムの除去は前シートの後面（３１０ａ）で直接外すこともできるが、前シートの前面（３１０ｂ）で直接外すようにする接着手段（３４０）の構成を採用することもできる。  
【００６５】
また、図面には図示していないが、本実施例によるパンツの前シートの前面（３１０ａ）上の孔（Ｈ）の周囲にはさらに補助シートが備えれることもできる。上記補助シートは、上述した実施例らと同様に、施術中に血液や医療用化学薬品がパンツ及び被治療者の皮膚を汚染させることを防止する役割をする。このような補助シートは、上記孔（Ｈ）の周囲に所定の幅を有する環状に前シートの前面（３１０ａ）に付着されていることができる。しかし、このような補助シートは、本実施例によるパンツに付着されておらず、医療要員が施術のために追加的に付着して使用することもできる。  
【００６６】
このような本発明の第３実施例によるパンツは、前シートが一体に形成されてその両側の側部に脱着手段が備えられていないという側面で上述した実施例と多少差がある。しかし、全体形状は本発明の実施例のいずれも同一であり、被治療者が直接着用できるトランク形状のパンツという点で被治療者のプライバシーの侵害を防止することができる。併せて、本実施例によれば、施術に必要な部位だけ露出させて前シートを固定させ、他の部分は遮った状態で施術を進行するため、被治療者のプライバシーの保護にさらに効果的な側面もある。  
【図面の簡単な説明】
【００６７】
【図１】血管造影検査などの施術時に現在使用している処置方法を見せる図である。
【図２ａ】本発明の第１及び第２実施例による施術及び手術用パンツの前面部を示す図である。
【図２ｂ】本発明の第１及び第２実施例による施術及び手術用パンツの後面部を示す図である。
【図３ａ】本発明の第１実施例による施術及び手術用パンツの前中心シートの前面部を示す図である。
【図３ｂ】本発明の第１実施例による施術及び手術用パンツの裏板の内側面を示す図である。
【図４ａ】本発明の第１実施例による施術及び手術用パンツを用いて血管造影術を施術する方法を説明するための図である。
【図４ｂ】本発明の第１実施例による施術及び手術用パンツを用いて血管造影術を施術する方法を説明するための図である。
【図４ｃ】本発明の第１実施例による施術及び手術用パンツを用いて血管造影術を施術する方法を説明するための図である。
【図４ｄ】本発明の第１実施例による施術及び手術用パンツを用いて血管造影術を施術する方法を説明するための図である。
【図５ａ】本発明の第２実施例による施術及び手術用パンツの前中心シートの前面部を示す図である。
【図５ｂ】本発明の第２実施例による施術及び手術用パンツの裏板の内側面を示す図である。
【図５ｃ】本発明の第２実施例の他の側面による施術及び手術用パンツの前中心シートの内側面を示す図である。
【図６ａ】本発明の第３実施例による施術及び手術用パンツを示す図面であって、各々前シートの正面図、後シートの平面図、及び前シートの背面図である。
【図６ｂ】本発明の第３実施例による施術及び手術用パンツを示す図面であって、各々前シートの正面図、後シートの平面図、及び前シートの背面図である。
【図６ｃ】本発明の第３実施例による施術及び手術用パンツを示す図面であって、各々前シートの正面図、後シートの平面図、及び前シートの背面図である。
【図７】本発明の第３実施例のによる施術及び手術用パンツの前シートの正面面に対する他の例を示す図である。
【符号の説明】
【００６８】
１１０ａ、１１０ｂ  前中心シート  
１２０ａ、１２０ｂ、１３０ａ、１３０ｂ  裏板  
１０ａ、１０ｂ  一対の脱着手段  
１３０ａ、１３０ｂ  後シート  
１４０ａ、１４０ｂ  一対の補助シート  
３１０ａ、３１０ｂ  前シート  
３２０  後シート  
３３０  遮蔽用シート  
【図２ａ】
0005144131.tif 000002
【図２ｂ】
0005144131.tif 000003
【図３ａ】
0005144131.tif 000004
【図３ｂ】
0005144131.tif 000005
【図５ａ】
0005144131.tif 000006
【図５ｂ】
0005144131.tif 000007
【図５ｃ】
0005144131.tif 000008
【図６ａ】
0005144131.tif 000009
【図６ｂ】
0005144131.tif 000010
【図６ｃ】
0005144131.tif 000011
【図７】
0005144131.tif 000012
【図１】
0005144131.tif 000013
【図４ａ】
0005144131.tif 000014
【図４ｂ】
0005144131.tif 000015
【図４ｃ】
0005144131.tif 000016
【図４ｄ】
0005144131.tif 000017